(57)【特許請求の範囲】
【請求項１】
ネットワークを介して相手方端末と通信可能に構成され、ＶｏＩＰアプリケーションプログラムを使用して、前記相手方端末にカメラで撮像した画像を送信する情報処理装置であって、
前記相手方端末から当該相手方端末のモニタに関するパラメータを取得するパラメータ取得手段と、
前記取得したパラメータに基づいて、前記カメラで撮像した画像の画質を補正する補正手段と、
前記画質を補正した画像を前記相手方端末に送信する補正画像送信手段と、
を備えたことを特徴とする情報処理装置。 
【請求項２】
前記相手方端末のモニタに関するパラメータは色再現範囲を含み、
前記補正手段は、前記パラメータの色再現範囲が狭い場合には、前記カメラで撮像した画像の彩度を高くする補正を行うことを特徴とする請求項１に記載の情報処理装置。 
【請求項３】
前記相手方端末のモニタに関するパラメータは階調ガンマを含み、
前記補正手段は、前記パラメータの階調ガンマが低い場合には、前記カメラで撮像した画像の階調ガンマを高くする補正を行うことを特徴とする請求項１又は請求項２に記載の情報処理装置。 
【請求項４】
前記モニタに関するパラメータは、ＥＤＩＤ、ＩＣＣプロファイル、または、現在、当該モニタに設定されている画質パラメータであることを特徴とする請求項１〜３のいずれか１つに記載の情報処理装置。 
【請求項５】
前記パラメータ取得手段が前記相手方端末のモニタに関するパラメータを取得できなかった場合には、前記補正手段は、前記カメラで撮像した画像の彩度及び階調ガンマの少なくとも一方を高くする補正を行うことを特徴とする請求項１〜４のいずれか１つに記載の情報処理装置。 
【請求項６】
自装置のモニタに前記カメラで撮像した画像を表示する場合には、前記補正手段で補正してない画像を表示することを特徴とする請求項１〜５のいずれか１つに記載の情報処理装置。 
【請求項７】
ネットワークを介して相手方端末と通信可能に構成され、ＶｏＩＰアプリケーションプログラムを使用して、前記相手方端末にカメラで撮像した画像を送信する情報処理装置の通信方法であって、
前記相手方端末から当該相手方端末のモニタに関するパラメータを取得する工程と、
前記取得したパラメータに基づいて、前記カメラで撮像した画像の画質を補正する工程と、
前記画質を補正した画像を前記相手方端末に送信する工程と、
を含むことを特徴とする情報処理装置の通信方法。 
【請求項８】
ネットワークを介して相手方端末と通信可能に構成され、ＶｏＩＰアプリケーションプログラムを使用して、前記相手方端末にカメラで撮像した画像を送信する情報処理装置に搭載されるプログラムであって、
前記相手方端末から当該相手方端末のモニタに関するパラメータを取得する工程と、
前記取得したパラメータに基づいて、前記カメラで撮像した画像の画質を補正する工程と、
前記画質を補正した画像を前記相手方端末に送信する工程と、
をコンピュータに実行させることを特徴とするコンピュータが実行可能なプログラム。
【発明の詳細な説明】
【技術分野】
【０００１】
本発明は、情報処理装置、その通信方法、およびコンピュータが実行可能なプログラムに関する。  
【背景技術】
【０００２】
近時、パーソナルコンピュータ（以下、「ＰＣ」と称する）では、カメラ搭載率の増加、および、通信回線の高速化・大容量化に伴い、Ｓｋｙｐｅ（登録商標）等のＶｏＩＰ（Voice  over  Internet  Protocol）アプリケーションプログラムを用いて、２地点間を結んでチャットやテレビ会議が行われている。
【０００３】
かかるＶｏＩＰアプリケーションプログラムでは、ＰＣの使用者をカメラで撮影して、撮影画像を相手方のＰＣに送出する。相手方のＰＣのモニタにはその撮影画像が表示される。モニタには、ＬＣＤ、有機ＥＬディスプレイ、プラズマディスプレイ、プロジェクタ、及びＣＲＴ等の各種種類がある。
【０００４】
図１０は、ＰＣ１００とＰＣ２００の間において、テレビ電話で通信中の場合の各ノートＰＣ１００、２００のモニタ１０２、１０３の表示例を示す図である。ＰＣ１００とＰＣ２００には、Ｓｋｙｐｅ等のＶｏＩＰアプリケーションプログラムが搭載されている。図１０に示すように、ＰＣ１００とＰＣ２００では、ＶｏＩＰアプリケーションプログラムが起動しており、画面１０２、２０２にそのウィンドウＷＡ１，ＷＢ１が表示されている。ＡさんはＰＣ１００の所有者で、カメラ１０１で撮影されたＡさんの画像は、ＢさんのＰＣ２００に送信されてウィンドウＷＢ１に表示される。他方、ＢさんはＰＣ２００の所有者で、カメラ２０１で撮影されたＢさんの画像は、ＡさんのＰＣ１００に送信されてウィンドウＷＡ１に表示される。
【０００５】
例えば、ＢさんのＰＣ２００のモニタ２０２の階調特性が低かったり、色再現範囲が狭い場合に、ＡさんのＰＣ１００のカメラ１０１で撮影したＡさんの画像をそのまま送出した場合、ＢさんのＰＣ２００のモニタ２０２に表示されるＡさんの画像は、階調や彩度が低く高画質な画像を表示することができない場合がある。なお、一般的に、プロジェクタは階調が低く、また、色再現範囲が狭いため、相手方端末のモニタがプロジェクタである場合には、撮像画像をそのまま相手方端末に送出すると、相手方端末のモニタでは画質の低い画像が表示されてしまう場合がある。
【先行技術文献】
【特許文献】
【０００６】
【特許文献１】特開２００４−１２０４６０号公報
【特許文献２】特表２０１０−５２１８５６号公報
【発明の概要】
【発明が解決しようとする課題】
【０００７】
本発明は、上記に鑑みてなされたものであって、カメラで撮像した画像を相手方端末に送信して相手方端末のモニタに表示させる場合に、高画質な画像を表示させることが可能な情報処理装置、その通信方法、およびコンピュータが実行可能なプログラムを提供することを目的とする。
【課題を解決するための手段】
【０００８】
上述した課題を解決し、目的を達成するために、本発明は、  ネットワークを介して相手方端末と通信可能に構成され、前記相手方端末にカメラで撮像した画像を送信する情報処理装置であって、前記相手方端末から当該相手方端末のモニタに関するパラメータを取得するパラメータ取得手段と、前記取得したパラメータに基づいて、前記カメラで撮像した画像の画質を補正する補正手段と、前記画質を補正した画像を前記相手方端末に送信する補正画像送信手段と、を備えたことを特徴とする。
【０００９】
また、本発明の好ましい態様によれば、前記モニタに関するパラメータは色再現範囲を含み、前記補正手段は、前記パラメータの色再現範囲が狭い場合には、前記カメラで撮像した画像の彩度を高くする補正を行うことが望ましい。
【００１０】
また、本発明の好ましい態様によれば、前記モニタに関するパラメータは、階調特性を含み、前記補正手段は、前記パラメータの階調特性が低い場合には、前記カメラで撮像した画像の階調特性を高くする補正を行うことが望ましい。
【００１１】
また、本発明の好ましい態様によれば、前記モニタに関するパラメータは、ＥＤＩＤ、ＩＣＣプロファイル、または、現在、当該モニタに設定されている画質パラメータであることが望ましい。
【００１２】
また、本発明の好ましい態様によれば、前記パラメータ取得手段が前記相手方端末のモニタに関するパラメータを取得できなかった場合には、前記補正手段は、前記カメラで撮像した画像の彩度及び階調特性の少なくとも一方を高くする補正を行うことが望ましい。
【００１３】
また、本発明の好ましい態様によれば、自装置のモニタに前記カメラで撮像した画像を表示する場合には、前記補正手段で補正してない画像を表示することが望ましい。
【００１４】
また、本発明の好ましい態様によれば、ＶｏＩＰアプリケーションプログラムを使用して、前記相手方端末にカメラで撮像した画像を送信することが望ましい。
【００１５】
また、上述した課題を解決し、目的を達成するために、本発明は、ネットワークを介して相手方端末と通信可能に構成され、前記相手方端末にカメラで撮像した画像を送信する情報処理装置の通信方法であって、前記相手方端末から当該相手方端末のモニタに関するパラメータを取得する工程と、前記取得したパラメータに基づいて、前記カメラで撮像した画像の画質を補正する工程と、前記画質を補正した画像を前記相手方端末に送信する工程と、を含むことを特徴とする。
【００１６】
また、上述した課題を解決し、目的を達成するために、本発明は、ネットワークを介して相手方端末と通信可能に構成され、前記相手方端末にカメラで撮像した画像を送信する情報処理装置に搭載されるプログラムであって、前記相手方端末から当該相手方端末のモニタに関するパラメータを取得する工程と、前記取得したパラメータに基づいて、前記カメラで撮像した画像の画質を補正する工程と、前記画質を補正した画像を前記相手方端末に送信する工程と、をコンピュータに実行させることを特徴とする。
【発明の効果】
【００１７】
以上説明したように、本発明によれば、カメラで撮像した画像を相手方端末に送信して相手方端末のモニタに表示させる場合に、高画質な画像を表示させることが可能な情報処理装置を提供することが可能になるという効果を奏する。  
【図面の簡単な説明】
【００１８】
【図１】図１は、本実施の形態にかかる情報処理装置を適用したテレビ会議システムの機能構成例を示す図である。
【図２】図２は、本実施例にかかる情報処理装置を適用したノートＰＣの概略の外観図である。
【図３】図３は、図１のノートＰＣの概略のハードウェア構成例を示す図である。
【図４】図４は、図３のノートＰＣのＶｏＩＰアプリケーションプログラムの画像の処理に関連する機能構成を示す図である。
【図５】図５は、ノートＰＣ間で互いのＶｏＩＰアプリケーションプログラムを使用して通信中の場合のモニタの表示例を示す図である。
【図６】図６は、画像の彩度を補正する例を説明するための図である。
【図７】図７は、画像の階調ガンマγを補正する例を説明するための図である。
【図８】図８は、ＶｏＩＰアプリケーションプログラムが補正した画像を通信相手に表示させる処理を説明するためのフローチャートである。
【図９】図９は、モニタの他の表示例を説明するための図である。
【図１０】図１０は、テレビ電話で通信中の各ＰＣのモニタの表示例を示す図である。
【発明を実施するための形態】
【００１９】
以下、本実施の形態にかかる情報処理装置、その通信方法、およびコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無く
ても、または他の方法、部品、材料でも本発明を実現できることが理解できる。  
【００２０】
（実施の形態）
図１は、本実施の形態にかかる情報処理装置を適用したテレビ会議システムの機能構成例を示す図である。情報処理装置１Ａ、１Ｂは、ネットワーク７を介して互いに通信可能に構成されている。情報処理装置１Ａ、１Ｂは、例えば、ノート型ＰＣやディスクトップＰＣであり、ＶｏＩＰアプリケーションプログラム等のテレビ会議用アプリケーションプログラムが搭載されて、両者間でテレビ会議が可能となっている。
【００２１】
情報処理装置１Ａ、１Ｂは、被写体を撮像するカメラ２Ａ、２Ｂと、画像を表示するモニタ３Ａ、３Ｂと、相手方端末から相手方端末のモニタ３Ｂ，３Ａに関するパラメータ３Ｂ１、３Ａ１を取得するパラメータ取得部４Ａ、４Ｂと、取得したパラメータ３Ｂ１，３Ａ１に基づいて、カメラ２Ａ、２Ｂで撮像した画像の画質を補正（調整）する補正（調整）部５Ａ、５Ｂと、補正部５Ａ、５Ｂで補正した画像を相手方端末に送信する補正画像送信部６Ａ、６Ｂと、をそれぞれ備えている。ここで、モニタ３Ａ，３Ｂは、例えば、ＬＣＤ、有機ＥＬディスプレイ、プラズマディスプレイ、プロジェクタ、ＣＲＴ等である。
【００２２】
上述したように、カメラで撮影した画像をそのまま相手方端末に送出して、相手方端末のモニタで表示すると、モニタの種類によっては画質が低くなってしまう場合がある。そこで、本実施の形態では、相手方端末のモニタの特性に応じて、カメラで撮像した画像を補正し、補正した画像を相手方端末に送出して、相手方端末のモニタで高画質な画像表示を行えるようにしている。
【００２３】
情報処理装置１Ａでは、パラメータ取得部４Ａは、情報処理装置１Ｂからモニタ３Ｂに関するパラメータ３Ｂ１を取得する。モニタに関するパラメータは、例えば、ＥＤＩＤ(Extended  Display  Identification  Data：モニタに固有のデータ)、ＩＣＣプロファイル、または、現在、モニタに設定されている画質パラメータ（情報処理装置で動的に調整可能な輝度、色彩、及び階調ガンマ等）である。
【００２４】
補正部５Ａは、パラメータ取得部５Ａで取得したモニタ３Ｂのパラメータ３Ｂ１に基づいて、カメラ２Ａで撮像した画像の画質を補正する。例えば、パラメータ３Ｂ１が色再現範囲を含んでいる場合に、その色再現範囲が低い場合には、カメラ２Ａで撮像した画像の彩度を高くする補正を行うことにしてもよい。また、例えば、パラメータ３Ｂ１が階調ガンマ（階調特性）を含んでいる場合に、その階調ガンマが低い場合には、カメラ２Ａで撮像した画像の階調を高くする補正を行うことにしてもよい。
【００２５】
補正画像送信部６Ａは、補正部５Ａで補正した画像を情報処理装置１Ｂに送信して、モニタ３Ｂに表示させる。情報処理装置１Ａでは、モニタ３Ａにカメラ２Ａで撮像した画像を表示する場合には、補正部５Ａで補正してない画像を表示することにしてもよい。
【００２６】
なお、パラメータ取得部４Ａが相手方端末からモニタに関するパラメータを取得できなかった場合には、補正部５Ａは、カメラ２Ａで撮像した画像の彩度及び階調ガンマの少なくとも一方を高くする補正を行うことにしてもよい。この場合、相手方端末のモニタはモニタに関するパラメータを保持していないため、古いタイプのモニタと考えられ、色再現範囲が狭かったり、階調ガンマが低いと考えられるためである。
【００２７】
また、情報処理装置１Ａは、情報処理装置１Ｂのパラメータ取得部４Ｂからの要求に応じて、モニタ３Ａに関するパラメータ３Ａ１を情報処理装置１Ｂのパラメータ取得部４Ｂに送出する。情報処理装置１Ｂでは、補正部５Ｂは、パラメータ取得部５Ｂで取得したモニタ３Ａのパラメータ３Ａ１に基づいて、カメラ２Ｂで撮像した画像の画質を補正する。補正画像送信部６Ｂは、補正部５Ｂで補正した画像を情報処理装置１Ａに送信する。情報処理装置１Ａでは、補正された画像を受信してモニタ３Ａに表示する。
【００２８】
以上説明したように、本実施の形態によれば、情報処理装置１Ａは、相手方端末（情報処理装置１Ｂ）から当該相手方端末のモニタ３Ｂに関するパラメータ３Ｂ１を取得するパラメータ取得部４Ａと、取得したパラメータ３Ｂ１に基づいて、カメラ２Ａで撮像した画像の画質を補正する補正部５Ａと、補正部５Ａで画質を補正した画像を相手方端末に送信する補正画像送信部６Ａと、を備えているので、カメラ２Ａで撮像した画像を相手方端末に送信して相手方端末のモニタ３Ｂに表示させる場合に、高画質な画像を表示させることが可能となる。
【００２９】
また、本実施の形態によれば、モニタに関するパラメータは色再現範囲を含み、補正部５Ａは、パラメータの色再現範囲が狭い場合には、カメラ２Ａで撮像した画像の彩度を高くする補正を行うこととしたので、相手方端末のモニタの彩度が低い場合でも、彩度の高い画像を表示させることが可能となる。
【００３０】
また、本実施の形態によれば、モニタに関するパラメータは階調ガンマを含み、補正部５Ａは、パラメータの階調ガンマが低い場合には、カメラ２Ａで撮像した画像の階調ガンマを高くする補正を行うこととしたので、相手方端末のモニタの階調ガンマが低い場合でも、階調ガンマの高い画像を表示させることが可能となる。
【００３１】
また、本実施の形態によれば、モニタに関するパラメータは、例えば、ＥＤＩＤ、ＩＣＣプロファイル、または、現在、当該モニタに設定されている画質パラメータであることとしたので、モニタに関する各種のパラメータを使用することが可能となる。
【００３２】
また、本実施の形態によれば、パラメータ取得部５Ａが相手方端末のモニタに関するパラメータを取得できなかった場合には、補正部５Ａは、カメラ２Ａで撮像した画像の彩度及び階調ガンマの少なくとも一方を高くする補正を行うこととしたので、相手方端末がモニタに関するパラメータを保持していない場合は、古いタイプのモニタである可能性が高く、彩度又は階調が低いモニタである可能性が高いため、古いタイプのモニタでも彩度又は階調が高い画像を表示させることが可能となる。
【００３３】
また、本実施の形態によれば、情報処理装置１Ａのモニタ３Ａにカメラ２Ａで撮像した画像を表示する場合には、補正部５Ａで補正してない画像を表示することとしたので、自装置のモニタに適した画像を表示することが可能となる。
【００３４】
（実施例）
つぎに、上記実施の形態に係る情報処理装置を適用したノートＰＣの実施例について説明する。図２は、本実施例にかかるノートＰＣ１０の概略の外観図である。ノートＰＣ１０は、同図に示すように、いずれも略直方体である本体側筐体１２およびディスプレイ側筐体１３を備える。本体側筐体１２は、キーボードおよびタッチパッド等を有する入力部１４と、マイクロフォン１５と、スピーカ１６ａ、１６ｂとを備える。ディスプレイ側筐体１３は、モニタ１７と、モニタ１７の表示面側にその上方の略中央に配置され、前方の被写体を撮像可能なカメラ１８とを備える。  
【００３５】
本体側筐体１２およびディスプレイ側筐体１３は、それぞれの端部で左右の一対の連結部（ヒンジ部）１９ａ、１９ｂによって連結されており、連結部１９ａ、１９ｂは、これらの筐体を開閉自在に支持している。  
【００３６】
図３は、図１のノートＰＣ１の概略のハードウェア構成例を示す図である。ノートＰＣ１０は、同図に示すように、ＣＰＵ２１、ＲＯＭ２２、メモリ２３、ＨＤＤ（ハードディスク）２４、モニタ１７、入力部１４、カメラデバイス２５、オーディオデバイス２７、通信デバイス２９、バッテリ３１、ＤＣ−ＤＣコンバータ３２，ＡＣアダプタ３３を備えており、各部はバスを介して直接または間接的に接続されている。  
【００３７】
ＣＰＵ２１は、バスを介して接続されたＨＤＤ２４に格納されたＯＳ４０によりノートＰＣ１０全体の制御を行うとともに、ＨＤＤ２４に格納された各種のプログラムに基づいて処理を実行する機能を司る。ＲＯＭ２２は、ＢＩＯＳ（Basic  Input/Output  System：基本入出力システム）２２ａやデータ等を格納している。  
【００３８】
メモリ２３は、キャッシュメモリやＲＡＭで構成されており、ＣＰＵ２１の実行プログラムの読み込み領域として、実行プログラムの処理データを書き込む作業領域として利用される書き込み可能メモリである。  
【００３９】
ＨＤＤ（ハードディスク）２４は、例えば、Ｗｉｎｄｏｗｓ（登録商標）  ＸＰ、Ｖｉｓｔａ、７、８等のノートＰＣ１０全体の制御を行うためのＯＳ４０、周辺機器類をハードウェア操作するための各種ドライバドライバ等の各種ドライバ４１、テレビ会議やチャットを行うためのＶｏＩＰアプリケーションプログラム４２、特定業務に向けられた他のアプリプログラム４３等を記憶する機能を有する。ＨＤＤ２４にインストールされたＯＳ３０、ＶｏＩＰアプリケーションプログラム４２、他のアプリケーションプログラム４３、各種ドライバ（表示ドライバ、カメラドライバ、オーディオドライバ、通信ドライバ等）は、メモリ２３に読み込まれ、ＣＰＵ２１によって実行される。
【００４０】
ＶｏＩＰアプリケーションプログラム４２は、ＯＳ４０を介して、通信デバイス２９に相手方端末とリンクを確立させ、カメラ１８で撮影した画像やマイクロフォン１５で集音した音声を送信させたり、相手方端末から送出されてくる画像や音声をモニタ１７への表示・スピーカ１６ａ、１６ｂからの放音を行わせる。ＶｏＩＰアプリケーションプログラム４２と各ドライバ４１の間のデータ又はコマンドの送受信には、ＯＳ４０が介在する。
【００４１】
モニタ１７は、ＣＰＵ２１の制御に従って、表示情報をビデオ信号に変換し、変換したビデオ信号に応じた各種情報を表示画面に表示する。また、モニタ１７は、モニタ１７のＥＤＩＤ(Extended  Display  Identification  Data)１８ａを格納したＥＥＰＲＯＭ１８を備えている。なお、ＥＤＩＤ１８ａを格納する媒体は、ＥＥＰＲＯＭに限られるものではなく他の記録媒体でもよい。
【００４２】
入力部１４は、ユーザが入力操作を行うためのユーザインターフェースであり、文字、コマンド等を入力する各種キーより構成されるキーボードや、画面上のカーソルを移動させたり、各種メニューを選択するタッチパッド等を備えている。  
【００４３】
カメラデバイス２５は、カメラ１８と、信号処理回路２６とを備えている。カメラ１８は、レンズや撮像部（ＣＣＤやＣＭＯＳ）を備えており、レンズは被写体光を結像し、撮像部は結像された被写体光をＲ，Ｇ，Ｂの画像信号として出力する。信号処理回路２６は、Ａ／Ｄ変換器、画像処理用ＬＳＩ、メモリ等を備え、撮像部の駆動タイミングや露出制御等を行うと共に、撮像部で得られたＲＧＢの画像信号をデータ処理（Ａ／Ｄ変換、画像処理等）して、ＣＰＵ２１に出力する。
【００４４】
オーディオデバイス２７は、マイクロフォン１５と、スピーカ１６ａ、１６ｂと、音声処理回路２８とを備えている。マイクロフォン１５は、音声を集音して音声データを音声処理回路２８に出力する。スピーカ１６ａ、１６ｂは、音声処理回路２８から出力される音声データに応じた音声を出力する。音声処理回路２８は、Ａ／Ｄ変換器、Ｄ／Ａ変換器、音声処理用ＬＳＩ、メモリ等を備えており、マイクロフォン１５から入力される音声データをデータ処理（Ａ／Ｄ変換等）し、データ処理後の音声データ（デジタルデータ）をＣＰＵ２１に出力したり、ＣＰＵ２１から入力される音声データ（デジタル）をＤ／Ａ変換して、スピーカ１６ａ、１６ｂから放音させる。  
【００４５】
通信デバイス２９は、ネットワークを介してデータの送受信を行うためのものであり、画像データおよび音声データをネットワークに送信し、また、ネットワークを介して送信されてくる画像データおよび音声データを受信する。なお、通信デバイス２９は、画像データおよび音声データをコード化して送信することにしてもよく、また、コード化された画像データおよび音声データを受信した場合には、デコードすることにしてもよい。  
【００４６】
ＡＣアダプタ３３は、商用電源に接続して、ＡＣ電圧をＤＣ電圧に変換してＤＣ−ＤＣコンバータ３２に出力する。ＤＣ−ＤＣコンバータ３２は、ＡＣアダプタ３３から供給されるＤＣ電圧を所定の電圧に変換して各部に電力を供給し、また、バッテリ３１の充電を行う。バッテリ３１は、ＤＣ−ＤＣコンバータ３２により充電され、充電した電圧を各部に供給する。バッテリ３１は、ＡＣアダプタ３３が商用電源に接続されていない場合に使用される。  
【００４７】
図４は、図３のノートＰＣ１０のＶｏＩＰアプリケーション４２の画像の処理に関連する機能構成を示す図である。同図において、ＯＳ４０，表示ドライバ、及び通信ドライバの図示は省略している。図５は、ノートＰＣ１０と相手方端末（ノートＰＣ）１０Ｂの間で互いのＶｏＩＰアプリケーションプログラムを使用して通信中の場合の各モニタ１７、１７Ｂの表示例を示す図である。
【００４８】
ＶｏＩＰアプリケーションプログラム４２は、従来のＳｋｙｐｅ等のＶｏＩＰアプリケーションプログラムに、相手側端末から相手方端末のモニタのＥＤＩＤを取得する機能と、カメラ１８で撮像した撮像画像を相手方端末から取得したＥＤＩＤに基づいて補正させる機能等を追加したものである。ＶｏＩＰアプリケーションプログラム４２は、相手方端末１０ＢからモニタのＥＤＩＤを取得し、取得したＥＤＩＤに基づいて、信号処理回路２６にカメラ１８で撮像した画像を補正させ、補正した画像を相手方端末１０Ｂに送信する。また、ＶｏＩＰアプリケーションプログラム４２は、相手方端末１０Ｂの要求に応じてモニタ１７のＥＤＩＤ１８ａを相手方端末１０Ｂに送信する。これに応じて、相手方端末１０Ｂでは、モニタ１７のＥＤＩＤ１８ａに基づいて、自端末のカメラで撮像した画像を補正し、補正した画像をノートＰＣ１０に送信する。ＶｏＩＰアプリケーションプログラム４２は、相手方端末１０Ｂから受信した補正された画像をモニタ１７に表示させる。
【００４９】
図５に示す例では、ＡさんはノートＰＣ１０の所有者、ＢさんはノートＰＣ１０Ｂの所有者である。ノートＰＣ１０では、カメラ１８で撮影されたＡさんの画像は、ノートＰＣ１０Ｂのモニタ１７ＢのＥＤＩＤに基づいて補正され、補正された画像がノートＰＣ１０Ｂに送信されてモニタ１７ＢのウィンドウＷＢ１に表示される。他方、ノートＰＣ１０Ｂでは、カメラ１８Ｂで撮影されたＢさんの画像は、ノートＰＣ１０のモニタ１７のＥＤＩＤに基づいて補正され、補正された画像がノートＰＣ１０に送信されてモニタ１７のウィンドウＷＡ１に表示される。
【００５０】
次に、カメラ１８で撮像した画像の補正方法について詳細に説明する。ＥＤＩＤは、「SEP  2006-9  Enhanced  Extended  Display  Identification  Data  Standard  (E-EDID)  Rel.  A,  2.0」に記載されているように、モニタ装置固有のパラメータを規定している。ＥＤＩＤのデータ形式は、先頭アドレスの００ｈはヘッダ、アドレス０８ｈ〜１１ｈにベンダおよび製品情報、アドレス１２ｈ、１３ｈにＥＤＩＤ構造のバージョン情報、アドレス１４ｈ〜１８ｈに、有効表示領域の水平サイズおよび垂直サイズや階調ガンマ（アドレス１７ｈ）などのモニタ装置の基本的な情報、アドレス１９ｈ〜２２ｈに、色に関する情報、アドレス２３ｈ〜２５ｈに、垂直同期周波数や水平同期周波数のレンジや、表示可能な画素数やモニタ装置固有のタイミング情報、アドレス２６ｈ〜３４ｈに、標準的な画素数のサポート情報、アドレス３６ｈ〜６Ｃｈに詳細情報、アドレス７Ｅｈに拡張フラグ、アドレス７Ｆｈにチェックサムがそれぞれ格納されるようになっている。
【００５１】
ＶｏＩＰアプリケーションプログラム４２は、相手方端末１０Ｂから当該相手方端末１０Ｂのモニタ１７ＢのＥＤＩＤを取得し、取得したＥＤＩＤの階調ガンマ（アドレス１７ｈ）及び色再現範囲（アドレス１４ｈ〜１８ｈ）に基づいて、階調ガンマ値及び彩度のパラメータを設定するように、カメラドライバ４１ａに指示する。カメラドライバ４１ａは、この指示に応じて階調ガンマ及び彩度のパラメータを信号処理回路２６に設定する。信号処理回路２６は、カメラ１８で撮像された画像の画質を設定されたパラメータ（階調ガンマ及び色彩）に従って補正する。ＶｏＩＰアプリケーションプログラム４２は、信号処理回路２６で補正された画像を通信デバイス２９を介して相手方端末１０Ｂに送信する。
【００５２】
図６は、画像の彩度を補正する例を説明するための図であり、ｘｙ色度図（ＮＴＳＣ方式の色再現範囲（色空間）を示している。ＶｏＩＰアプリケーションプログラム４２は、相手方端末のＥＤＩＤのアドレス１４ｈ〜１８ｈから色再現範囲（Ｒｘ、Ｒｙ、Ｇｘ、Ｇｙ、Ｂｘ、Ｂｙ）を取得する。ＶｏＩＰアプリケーションプログラム４２は、色再現範囲が狭い場合、例えば、ＮＴＳＣ比７２％よりも小さい場合、カメラドライバ４１ａに彩度（Ｓａｔｕｒａｔｉｏｎ）を大きくするパラメータを設定するように指示し、カメラドライバ４１ａは指示に応じて、信号処理回路２６に彩度を高くするパラメータを設定する。これに応じて、信号処理回路２６はカメラ１８で撮像した画像の彩度を高くする画像処理を施す。図６において、例えば、相手方端末のモニタの色再現範囲がａである場合に、カメラ１８で撮像した画像データをそのまま送出した場合は、ｂのような範囲の彩度の低い画像が表示されるが、彩度を高くした画像を送信することで、ｃのような範囲の彩度が高い画像が表示される。
【００５３】
図７は、画像の階調ガンマγを補正する例を説明するための図である。ＶｏＩＰアプリケーションプログラム４２は、ＥＤＩＤのアドレス１７ｈから階調ガンマを取得する。ＶｏＩＰアプリケーションプログラム４２は、階調ガンマγが低い場合、例えば、γ＝２．２よりも低い場合に、カメラドライバ４１ａに階調ガンマγを高くするパラメータを設定するように指示する。カメラドライバ４１ａは指示に応じて、信号処理回路２６に階調ガンマγを高くするパラメータを設定する。信号処理回路２６はカメラ１８で撮像した画像の階調ガンマγを高くする画像処理を施す。図７において、例えば、階調ガンマγが同図のｄの場合（γ＝１．０）には、ｅのように階調ガンマを高くする（γ＝２．２）。これにより、相手方端末のモニタでは階調ガンマの高い画像が表示される。
【００５４】
図８は、ＶｏＩＰアプリケーションプログラム４２の処理動作の概略を説明するためのフローチャートである。まず、ＶｏＩＰアプリケーションプログラム４２は、通話する相手方端末とコネクション・アソシエーション処理を行う（ステップＳ１）。次に、ＶｏＩＰアプリケーションプログラム４２は、相手方端末からモニタのＥＤＩＤを取得する（ステップＳ２）。ＶｏＩＰアプリケーションプログラム４２は、取得したＥＤＩＤの階調ガンマ及び色再現範囲に基づいて、階調ガンマ及び彩度のパラメータをカメラドライバ４１ａを介して信号処理回路２６に設定する（ステップＳ３）。信号処理回路２６は、カメラ１８で撮像された画像を設定されたパラメータ（階調ガンマ及び彩度）に従って補正する（ステップＳ４）。ＶｏＩＰアプリケーションプログラム４２は、補正された画像を、通信デバイス２９を介して相手方端末に送信する（ステップＳ５）。
【００５５】
なお、相手方端末がモニタのＥＤＩＤを保持（サポート）していない場合は、古いタイプのモニタと考えられ、階調ガンマが低かったり、色再現範囲の狭いモニタと考えられるので、カメラ１８で撮像した画像の階調ガンマ及び彩度の少なくとも一方を高くした画像を相手方端末に送信することにしてもよい。また、相手方端末が複数のモニタを備えている場合には、プライマリモニタのＥＤＩＤを取得して、このＥＤＩＤに基づいて撮像画像を補正することにしてもよい。
【００５６】
図９は、変形例を説明するための図である。図５と共通する部分の説明は省略する。ＶｏＩＰアプリケーションプログラム４２は、相手方端末から送出されてくる画像と自装置のカメラ１８で撮影した画像の両方を表示することにしてもよい。図９において、ウィンドウＷＡ２、ＷＢ２には、それぞれ自装置のカメラ１８、１８Ｂで撮像した画像を表示する。この場合、ウィンドウＷＡ２、ＷＢ２に、相手方端末のモニタのＥＤＩＤに基づいて補正した画像ではなく、補正していない画像を表示することが望ましい。相手方のモニタの特性に合わせて補正した画像を表示すると、自装置のモニタ特性に適した画像を表示できない場合があるからである。
【００５７】
なお、上記実施例では、本発明をノートＰＣに適用した場合について説明したが、本発明はこれに限られるものではなく、デスクトップＰＣ、ＰＤＡ、携帯電話等の他の情報処理装置にも適用可能である。  
【産業上の利用可能性】
【００５８】
本発明の情報処理装置、その通信方法、およびコンピュータが実行可能なプログラムは、テレビ会議やチャット等で広く利用可能である。  
【符号の説明】
【００５９】
１Ａ、１Ｂ  情報処理装置
２Ａ、２Ｂ  カメラ
モニタ３Ａ、３Ｂ  モニタ
３Ｂ１、３Ａ１  パラメータ
４Ａ、４Ｂ  パラメータ取得部
５Ａ、５Ｂ  補正部
６Ａ、６Ｂ  補正画像送信部
１０  ノートＰＣ
１２  本体側筐体
１３  ディスプレイ側筐体
１４  入力部
１５  マイクロフォン
１６ａ、６ｂ  スピーカ
１７  モニタ
１８  カメラ
１９ａ，１９ｂ  連結部（ヒンジ部）
２１  ＣＰＵ
２２  ＲＯＭ
２３  メモリ
２４  ＨＤＤ
２５  カメラデバイス
２６  信号処理回路
２７  オーディオデバイス
２８  音声処理回路
２９  通信デバイス
３１  バッテリ
３２  ＤＣ−ＤＣコンバータ
３３  ＡＣアダプタ
４０  ＯＳ
４１  ドライバ
４１ａ  カメラドライバ
４２  ＶｏＩＰアプリケーションプログラム
４３  他のアプリケーションプログラム
【図１】
0005520341.tif 000002
【図２】
0005520341.tif 000003
【図３】
0005520341.tif 000004
【図４】
0005520341.tif 000005
【図５】
0005520341.tif 000006
【図６】
0005520341.tif 000007
【図７】
0005520341.tif 000008
【図８】
0005520341.tif 000009
【図９】
0005520341.tif 000010
【図１０】
0005520341.tif 000011